(57)【要約】【課題】カバー部材の小型化を図りながら、表示セル部の駆動用の回路基板から放出される不要輻射（ＥＭＩ）が外部に漏れるのを抑制することが可能な表示装置を提供する。【解決手段】この液晶テレビジョン装置（表示装置）１００は、液晶セル部２１と、液晶セル部２１の後面に配置される、液晶セル部２１の駆動用の駆動回路基板２１１と、中央部以外の外周部２６ｄおよび外周部周辺が後部筐体を構成するとともに、後部筐体を構成する領域２６１において液晶セル部２１の後面に配置された駆動回路基板２１１の側方および後方を覆う導電性材料からなるリアフレーム２６と、リアフレーム２６の後部筐体を構成する領域２６１以外の領域を後方から覆うカバー部材４とを備える。【選択図】図３
2013093751.tif 000002
【特許請求の範囲】
【請求項１】
表示セル部と、
前記表示セル部の後面に配置される、前記表示セル部の駆動用の第１回路基板と、
中央部以外の外周部および外周部周辺が後部筐体を構成するとともに、前記後部筐体を構成する領域において前記表示セル部の後面に配置された前記第１回路基板の側方および後方を覆う導電性材料からなるリアフレームと、
前記リアフレームの前記後部筐体を構成する領域以外の領域を後方から覆うカバー部材とを備える、表示装置。
【請求項２】
前記リアフレームは、前記第１回路基板に接続される配線を前記リアフレームの前方側から後方側に通すための貫通孔を含み、
前記貫通孔は、後方から見て、前記第１回路基板に重ならない位置で、かつ、前記カバー部材により後方から覆われる領域に設けられている、請求項１に記載の表示装置。
【請求項３】
前記リアフレームの後面のうち前記後部筐体を構成する領域以外の領域に取り付けられ、前記カバー部材により後方から覆われる第２回路基板をさらに備え、
前記配線は、前記リアフレームの前方側に配置される前記第１回路基板と、前記リアフレームの後面に取り付けられる前記第２回路基板とを前記貫通孔を介して互いに接続するように構成されている、請求項２に記載の表示装置。
【請求項４】
前記リアフレームは、前記後部筐体を構成する前記外周部が前方に向かって延びるように形成されており、前記外周部により前記第１回路基板の側方を覆うとともに、前記後部筐体を構成する前記外周部周辺により前記第１回路基板の後方を覆うように構成されている、請求項１〜３のいずれか１項に記載の表示装置。
【請求項５】
前記リアフレームは、板金製であり、前記後部筐体を構成する前記外周部周辺の領域に後方に向かって窪む凹形状に形成された第１絞り部を有し、
前記凹形状に形成された第１絞り部により前記第１回路基板を後方から覆うように構成されている、請求項１〜４のいずれか１項に記載の表示装置。
【請求項６】
前記表示セル部は、平面視で略矩形形状に形成されており、
前記第１回路基板は、略矩形形状の前記表示セル部の一辺に沿って延びるように配置され、
前記リアフレームの第１絞り部は、前記第１回路基板が延びる方向に延びるように形成されている、請求項５に記載の表示装置。
【請求項７】
前記第１絞り部の底部には、前記第１絞り部が延びる方向に延びる第２絞り部が形成されている、請求項６に記載の表示装置。
【請求項８】
前記表示セル部の後面に配置された光学部材と、
前記光学部材を後方から支持する支持部材とをさらに備え、
前記第１回路基板は、前記支持部材の後面に取り付けられ、
前記リアフレームは、前記支持部材の後面に取り付けられた前記第１回路基板の側方および後方を前記後部筐体を構成する領域で覆うように構成されている、請求項１〜７のいずれか１項に記載の表示装置。
【請求項９】
テレビジョン放送を受信可能な受信部と、
前記受信部により受信されたテレビジョン放送を表示可能な表示セル部と、
前記表示セル部の後面に配置される、前記表示セル部の駆動用の回路基板と、
中央部以外の外周部および外周部周辺が後部筐体を構成するとともに、前記後部筐体を構成する領域において前記表示セル部の後面に配置された前記回路基板の側方および後方を覆う導電性材料からなるリアフレームと、
前記リアフレームの前記後部筐体を構成する領域以外の領域を後方から覆うカバー部材とを備える、テレビジョン装置。
【発明の詳細な説明】
【技術分野】
【０００１】
この発明は、表示装置およびテレビジョン装置に関し、特に、表示セル部を備える表示装置およびテレビジョン装置に関する。
【背景技術】
【０００２】
従来、表示セル部を備える表示装置が知られている（たとえば、特許文献１参照）。
【０００３】
上記特許文献１には、プラズマディスプレイパネル（以下、ＰＤＰという）（表示セル部）と、ＰＤＰの後面を覆うようにＰＤＰの後方に配置される板状のシャーシと、シャーシの後面に取り付けられるデジタル信号処理用の回路基板と、シャーシの後方および側方を覆うように設けられ、後部筐体を構成する導電性のバックカバー（カバー部材）とを備えた表示装置が開示されている。ここで、上記特許文献１には記載されていないが、ＰＤＰの後面には、上記デジタル信号処理用の回路基板とは別個にＰＤＰ（表示セル部）の駆動用回路基板が設けられていると考えられ、板状のシャーシによりＰＤＰの駆動用回路基板の後方が覆われていると考えられる。そして、導電性のバックカバーにより、シャーシの後方および側方を覆うことによってＰＤＰの駆動用回路基板の側方を覆っていると考えられる。このような構成により、上記特許文献１では、板状のシャーシおよびバックカバーの両方を用いて、ＰＤＰ（表示セル部）の後面の駆動用回路基板の側方および後方を覆ってＰＤＰの駆動用の回路基板から放出される不要輻射（ＥＭＩ）が外部に漏れるのを抑制していると考えられる。
【先行技術文献】
【特許文献】
【０００４】
【特許文献１】特開２０００−２０００４６号公報
【発明の概要】
【発明が解決しようとする課題】
【０００５】
しかしながら、上記特許文献１に記載の表示装置では、ＰＤＰ（表示セル部）の駆動用回路基板から放出される不要輻射（ＥＭＩ）が外部に漏れるのを抑制することが可能である一方、板状のシャーシによりＰＤＰの駆動用回路基板の後方を覆うとともに、導電性のバックカバーによりシャーシの後方および側方を覆ってＰＤＰの駆動用回路基板の側方を覆う必要があるので、シャーシの後方および側方を覆うために後部筐体を構成するバックカバー（カバー部材）を大きくする必要がある。このため、バックカバー（カバー部材）の小型化を図るのが困難であるという問題点があると考えられる。
【０００６】
この発明は、上記のような課題を解決するためになされたものであり、この発明の１つの目的は、カバー部材の小型化を図りながら、表示セル部の駆動用の回路基板から放出される不要輻射（ＥＭＩ）が外部に漏れるのを抑制することが可能な表示装置およびテレビジョン装置を提供することである。
【課題を解決するための手段】
【０００７】
この発明の第１の局面による表示装置は、表示セル部と、表示セル部の後面に配置される、表示セル部の駆動用の第１回路基板と、中央部以外の外周部および外周部周辺が後部筐体を構成するとともに、後部筐体を構成する領域において表示セル部の後面に配置された第１回路基板の側方および後方を覆う導電性材料からなるリアフレームと、リアフレームの後部筐体を構成する領域以外の領域を後方から覆うカバー部材とを備える。
【０００８】
この第１の局面による表示装置では、上記のように、後部筐体を構成する領域において表示セル部の後面に配置された表示セル部の駆動用の第１回路基板の側方および後方を覆う導電性材料からなるリアフレームを設けることによって、リアフレームにより第１回路基板の側方および後方の両方を覆って第１回路基板から放出される不要輻射が外部に漏れるのを抑制することができる。これにより、リアフレームの後方に設けられるカバー部材により第１回路基板を覆う必要がないので、カバー部材の小型化を図ることができる。すなわち、リアフレームの後部筐体を構成する領域以外の領域のみを覆うカバー部材を設けることができるので、カバー部材を小型化することができる。したがって、この表示装置では、カバー部材の小型化を図りながら、表示セル部の駆動用の第１回路基板から放出される不要輻射（ＥＭＩ）が外部に漏れるのを抑制することができる。
【０００９】
上記第１の局面による表示装置において、好ましくは、リアフレームは、第１回路基板に接続される配線をリアフレームの前方側から後方側に通すための貫通孔を含み、貫通孔は、後方から見て、第１回路基板に重ならない位置で、かつ、カバー部材により後方から覆われる領域に設けられている。このように構成すれば、第１回路基板に接続される配線を通すための貫通孔をリアフレームに設けたとしても、第１回路基板から放出される不要輻射が貫通孔を介して外部に漏れるのを抑制することができるので、リアフレームのシールド機能が低下するのを抑制することができる。また、カバー部材により貫通孔を覆い隠すことができる。
【００１０】
この場合、好ましくは、リアフレームの後面のうち後部筐体を構成する領域以外の領域に取り付けられ、カバー部材により後方から覆われる第２回路基板をさらに備え、配線は、リアフレームの前方側に配置される第１回路基板と、リアフレームの後面に取り付けられる第２回路基板とを貫通孔を介して互いに接続するように構成されている。このように構成すれば、配線により、リアフレームの前方側に配置される第１回路基板とリアフレームの後面に取り付けられる第２回路基板とを貫通孔を介して容易に接続することができるとともに、カバー部材により、リアフレームの後面に取り付けられる第２回路基板および貫通孔の両方を覆い隠すことができる。
【００１１】
上記第１の局面による表示装置において、好ましくは、リアフレームは、後部筐体を構成する外周部が前方に向かって延びるように形成されており、外周部により第１回路基板の側方を覆うとともに、後部筐体を構成する外周部周辺により第１回路基板の後方を覆うように構成されている。このように構成すれば、後部筐体を構成する領域（外周部および外周部周辺の領域）により、容易に、第１回路基板の側方および後方の両方を覆って不要輻射が外部に漏れるのを効果的に抑制することができるので、シールド機能を向上させることができる。
【００１２】
上記第１の局面による表示装置において、好ましくは、リアフレームは、板金製であり、後部筐体を構成する外周部周辺の領域に後方に向かって窪む凹形状に形成された第１絞り部を有し、凹形状に形成された第１絞り部により第１回路基板を後方から覆うように構成されている。このように構成すれば、第１絞り部によりリアフレームの外周部周辺の機械的強度が高められるので、リアフレームの後部筐体を構成する領域において、後部筐体として必要な強度を確保しながら不要輻射が外部に漏れるのを抑制することができる。また、後方に向かって窪む凹形状の第１絞り部を設けることによって、第１回路基板が後方に突出して配置されている場合にも、その突出して配置された第１回路基板を凹形状の第１絞り部により容易に覆うことができる。
【００１３】
この場合、好ましくは、表示セル部は、平面視で略矩形形状に形成されており、第１回路基板は、略矩形形状の表示セル部の一辺に沿って延びるように配置され、リアフレームの第１絞り部は、第１回路基板が延びる方向に延びるように形成されている。このように構成すれば、表示セル部の一辺に沿って延びる第１回路基板が後方に突出して配置される場合にも、その第１回路基板を第１絞り部により後方から確実に覆うことができるので、第１回路基板から放出される不要輻射（ＥＭＩ）が外部に漏れるのをより抑制することができる。
【００１４】
上記表示セル部が略矩形形状に形成された構成において、好ましくは、第１絞り部の底部には、第１絞り部が延びる方向に延びる第２絞り部が形成されている。このように構成すれば、第１絞り部の底部の面積が大きくなって底部が変形し易くなる場合でも、第２絞り部により底部の機械的強度が高められるので、後部筐体を構成する外周部周辺の第１絞り部の底部が変形するのを抑制して後部筐体として必要な強度を確保することができる。
【００１５】
上記第１の局面による表示装置において、好ましくは、表示セル部の後面に配置された光学部材と、光学部材を後方から支持する支持部材とをさらに備え、第１回路基板は、支持部材の後面に取り付けられ、リアフレームは、支持部材の後面に取り付けられた第１回路基板の側方および後方を後部筐体を構成する領域で覆うように構成されている。このように構成すれば、支持部材により第１回路基板を安定して支持することができるとともに、リアフレームにより、安定して支持される第１回路基板を覆って第１回路基板から放出される不要輻射（ＥＭＩ）が外部に漏れるのを抑制することができる。
【００１６】
この発明の第２の局面によるテレビジョン装置は、テレビジョン放送を受信可能な受信部と、受信部により受信されたテレビジョン放送を表示可能な表示セル部と、表示セル部の後面に配置される、表示セル部の駆動用の回路基板と、中央部以外の外周部および外周部周辺が後部筐体を構成するとともに、後部筐体を構成する領域において表示セル部の後面に配置された回路基板の側方および後方を覆う導電性材料からなるリアフレームと、リアフレームの後部筐体を構成する領域以外の領域を後方から覆うカバー部材とを備える。
【００１７】
この第２の局面によるテレビジョン装置では、上記のように、後部筐体を構成する領域において表示セル部の後面に配置された表示セル部の駆動用の回路基板の側方および後方を覆う導電性材料からなるリアフレームを設けることによって、リアフレームにより回路基板の側方および後方の両方を覆って回路基板から放出される不要輻射が外部に漏れるのを抑制することができる。これにより、リアフレームの後方に設けられるカバー部材により回路基板を覆う必要がないので、カバー部材の小型化を図ることができる。すなわち、リアフレームの後部筐体を構成する領域以外の領域のみを覆うカバー部材を設けることができるので、カバー部材を小型化することができる。したがって、このテレビジョン装置では、カバー部材の小型化を図りながら、表示セル部の駆動用の回路基板から放出される不要輻射（ＥＭＩ）が外部に漏れるのを抑制することができる。
【発明の効果】
【００１８】
本発明によれば、上記のように、カバー部材の小型化を図りながら、表示セル部の駆動用の回路基板から放出される不要輻射（ＥＭＩ）が外部に漏れるのを抑制することができる。
【図面の簡単な説明】
【００１９】
【図１】本発明の一実施形態による液晶テレビジョン装置を前方から見た全体斜視図である。
【図２】本発明の一実施形態による液晶テレビジョン装置を後側から見た全体斜視図である。
【図３】本発明の一実施形態による液晶テレビジョン装置を示した分解斜視図である。
【図４】本発明の一実施形態による液晶テレビジョン装置のリアフレームを取り外した状態を後方から見た図である。
【図５】本発明の一実施形態による液晶テレビジョン装置のリアフレームを取り外した状態を示した概略斜視図である。
【図６】本発明の一実施形態による液晶テレビジョン装置のリアフレームの後面を示した平面図である。
【図７】図６の２００−２００線に沿った断面図である。
【図８】本発明の一実施形態による液晶テレビジョン装置のリアフレームを取り付けた状態を後方から見た図である。
【図９】図８の３００−３００線に沿った断面図である。
【図１０】図８の４００−４００線に沿った断面図である。
【発明を実施するための形態】
【００２０】
以下、本発明を具体化した実施形態を図面に基づいて説明する。
【００２１】
図１〜図１０を参照して、本発明の一実施形態による液晶テレビジョン装置１００の構成について説明する。なお、本実施形態では、本発明の「表示装置」および「テレビジョン装置」を、液晶テレビジョン装置１００に適用する例について説明する。
【００２２】
本発明の一実施形態による液晶テレビジョン装置１００は、図１および図２に示すように、枠状の前部筐体１と、前部筐体１の後ろ側（Ｙ２方向側）に配置される液晶モジュール２と、液晶テレビジョン装置１００全体を支持するスタンド部材３とを備えている。
【００２３】
前部筐体１は、図１および図３に示すように、液晶モジュール２の矩形形状の表示領域２１ａ（図１参照）を露出させるための略矩形形状の開口部１ａを有している。また、図３に示すように、前部筐体１の内面１ｂ（Ｙ２方向側の表面）には、縁部に沿って複数のネジ螺合部１１が前部筐体１に一体的に形成されている。
【００２４】
液晶モジュール２は、図３に示すように、液晶セル部２１と、光源２２と、樹脂フレーム２３と、光学部材２４と、枠状のホールドプレート２５と、リアフレーム２６とを含んでいる。具体的には、リアフレーム２６から前部筐体１の方向（矢印Ｙ１方向）に向かって、ホールドプレート２５、光学部材２４、枠状の樹脂フレーム２３、液晶セル部２１の順で配置されている。また、樹脂フレーム２３のＸ２方向側の側面には、複数のＬＥＤから構成される光源２２が配置されている。なお、液晶セル部２１は、本発明の「表示セル部」の一例であり、ホールドプレート２５は、本発明の「支持部材」の一例である。
【００２５】
液晶セル部２１は、液晶表示パネルを構成するとともに、液晶セルや電極シートなどにより構成されている。また、液晶セル部２１は、後述する受信部（チューナ）２８ａにより受信されたテレビジョン放送に応じて駆動されてテレビジョン放送を表示するように構成されている。また、図３に示すように、液晶セル部２１は、平面視で略矩形形状に形成されている。また、液晶セル部２１は、図示しないベゼルにより前面側（Ｙ１方向側）の縁部が押さえられるように構成されている。なお、ベゼルは、略Ｌ字状の断面形状を有する板金からなり、樹脂フレーム２３との間に液晶セル部２１の縁部を挟み込んで液晶セル部２１の前面側を押さえるように構成されている。
【００２６】
図３に示すように、液晶セル部２１には、液晶セル部２１の駆動用の駆動回路基板２１１が取り付けられている。駆動回路基板２１１は、略矩形形状の液晶セル部２１の上側（Ｚ１方向側）の一辺に沿ってＸ方向に延びるように配置されている。また、駆動回路基板２１１は、複数のフレキシブルケーブル２１１ａにより液晶セル部２１に接続されるとともに、液晶セル部２１の後面に配置されている。具体的には、駆動回路基板２１１は、図４および図５に示すように、フレキシブルケーブル２１１ａがＵ字状に折り曲げられることによって液晶セル部２１の後方に配置される枠状のホールドプレート２５の後面（Ｙ２方向側の表面）にネジ７により取り付けられるように構成されている。詳細には、図９に示すように、駆動回路基板２１１は、ホールドプレート２５の後方に突出する基板取付部２５ａにネジ７により取り付けられるように構成されている。このように駆動回路基板２１１は、ホールドプレート２５から後方に突出した状態で配置されている。なお、駆動回路基板２１１は、本発明の「第１回路基板」および「回路基板」の一例である。
【００２７】
樹脂フレーム２３は、図３に示すように、枠状に形成されており、液晶セル部２１の縁部を後ろ側（Ｙ２方向側）から支持するように構成されている。光学部材２４は、液晶セル部２１の後面に配置され、光反射シート、導光板、拡散シートおよびレンズシートなどから構成されている。また、光学部材２４は、樹脂フレーム２３とホールドプレート２５とにより挟み込まれることによって保持されている。ホールドプレート２５は、光学部材２４を後方から支持するように構成されている。また、ホールドプレート２５は、板金（ＳＥＣＣ（電気亜鉛めっき鋼板））製であり、光源２２の熱を放散させるヒートシンクとして機能するように構成されている。
【００２８】
リアフレーム２６は、図３、図５および図６に示すように、導電性の板金であるＳＥＣＣ（電気亜鉛めっき鋼板）からなり、平面視で略矩形形状に形成されている。また、リアフレーム２６は、複数の基板取付用ネジ穴２６ａを有している。これにより、リアフレーム２６の後面２６ｂ（Ｙ２方向側の表面）の中央部に、装置全体に電力を供給するための回路基板２７（図３参照）と、テレビジョン放送を受信可能な受信部（チューナ）２８ａが設けられた信号処理用の回路基板２８（図３参照）とを取り付けることが可能である。なお、回路基板２８は、本発明の「第２回路基板」の一例である。
【００２９】
また、リアフレーム２６は、複数のカバー取付用ネジ穴２６ｃを有し、回路基板２７および２８を覆うように凹形状に形成されたカバー部材４（図２および図３参照）が取り付けられるように構成されている。具体的には、リアフレーム２６は、後面２６ｂの中央部がカバー部材４により覆われるように構成されている。言い換えると、リアフレーム２６の中央部以外の外周部２６ｄおよび外周部周辺のＵ字形状の領域２６１（図６参照）は露出され、リアフレーム２６の中央部以外の領域２６１とカバー部材４とにより液晶テレビジョン装置１００の後部筐体が構成されている。すなわち、回路基板２７および２８は、リアフレーム２６の後部筐体を構成する領域２６１以外の領域に取り付けられ、カバー部材４は、リアフレーム２６の後部筐体を構成する領域２６１以外の領域を後方から覆っている。また、リアフレーム２６は、ホールドプレート２５を介して伝達される光源２２の熱や回路基板２７および２８に搭載された電子部品の熱を、後部筐体を構成する露出された領域２６１により効果的に放熱することが可能である。
【００３０】
また、図３、図５および図６に示すように、リアフレーム２６の後部筐体を構成する領域２６１（図６参照）には、複数のネジ７（図３参照）を挿入可能な複数のネジ挿入穴２６ｅが形成されている。リアフレーム２６は、図３に示すように、ネジ挿入穴２６ｅに挿入されるネジ７が前部筐体１のネジ螺合部１１に螺合されることによって前部筐体１に取り付けられるように構成されている。また、リアフレーム２６の後面２６ｂ側には、２つのスピーカ５が設けられている。スピーカ５は、スピーカ取付部材６を介してリアフレーム２６とカバー部材４とにより挟み込まれることによって保持されるように構成されている。
【００３１】
ここで、本実施形態では、図５および図８〜図１０に示すように、リアフレーム２６は、リアフレーム２６の後部筐体を構成する領域２６１（図６参照）において、ホールドプレート２５の後面に取り付けられた駆動回路基板２１１の側方および後方を覆うように構成されている。詳細には、リアフレーム２６は、図５、図７、図９および図１０に示すように、外周部２６ｄが折り曲げられて前方（Ｙ１方向）に延びることにより周状の側面部を有するように形成されている。また、リアフレーム２６は、図６および図７に示すように、後部筐体を構成する外周部周辺の領域に後方（Ｙ２方向）に向かって窪む凹形状に形成された絞り部２６２を有している。絞り部２６２は、図６に示すように、後方から見て、後部筐体を構成するＵ字形状の領域２６１の内側縁部に沿ってＵ字形状に形成されている。また、絞り部２６２の上側（Ｚ１方向側）の部分２６２ａは、駆動回路基板２１１が延びる方向（Ｘ方向）に延びるように形成されている。また、絞り部２６２の側方の部分２６２ｂは、上下方向（Ｚ方向）に延びるように形成されている。また、図５〜図７に示すように、絞り部２６２の上側（Ｚ１方向側）の部分２６２ａの底部には、絞り部２６２が延びる方向（Ｘ方向）に延びる底部絞り部２６２ｃが形成されている。このような構成により、図８〜図１０に示すように、リアフレーム２６は、後部筐体を構成する外周部周辺に形成された絞り部２６２の上側（Ｚ１方向側）の部分２６２ａにより、後方に突出するように取り付けられた駆動回路基板２１１の後方を覆うとともに、前方に向かって折り曲げられた外周部（側面部）２６ｄにより駆動回路基板２１１の側方を覆うことが可能である。なお、絞り部２６２は、本発明の「第１絞り部」の一例であり、底部絞り部２６２ｃは、本発明の「第２絞り部」の一例である。
【００３２】
また、リアフレーム２６の後部筐体を構成する領域２６１以外の領域には、Ｘ方向に所定の間隔を隔てて２つの貫通孔２６３ａおよび２６３ｂが形成されている。貫通孔２６３ａは、駆動回路基板２１１と回路基板２８とを互いに接続するケーブル２１１ｂをリアフレーム２６の前方側（Ｙ１方向側）から後方側（Ｙ２方向側）に通すために設けられている。なお、ケーブル２１１ｂは、本発明の「配線」の一例である。また、貫通孔２６３ｂは、回路基板２７から光源２２に電力を供給するためのケーブル２２１をリアフレーム２６の前方側（Ｙ１方向側）から後方側（Ｙ２方向側）に通すために設けられている。また、２つの貫通孔２６３ａおよび２６３ｂは、図６および図８に示すように、後方から見て略矩形形状に形成されている。また、２つの貫通孔２６３ａおよび２６３ｂは、図８に示すように、後方から見て、駆動回路基板２１１に重ならない、駆動回路基板２１１よりも下方の位置に配置されている。すなわち、２つの貫通孔２６３ａおよび２６３ｂは、２つの貫通孔２６３ａおよび２６３ｂを介して駆動回路基板２１１が露出されない位置に形成されている。また、貫通孔２６３ａ（２６３ｂ）の一部は、後方から見て回路基板２８（２７）に重なるように設けられている。また、２つの貫通孔２６３ａおよび２６３ｂは、図３に示すように、カバー部材４により後方から覆われる位置に設けられている。
【００３３】
本実施形態では、上記のように、後部筐体を構成する領域２６１において液晶セル部２１の後面に配置された液晶セル部２１の駆動用の駆動回路基板２１１の側方および後方を覆う導電性材料からなるリアフレーム２６を設けることによって、リアフレーム２６により駆動回路基板２１１の側方および後方の両方を覆って駆動回路基板２１１から放出される不要輻射が外部に漏れるのを抑制することができる。これにより、リアフレーム２６の後方に設けられるカバー部材４により駆動回路基板２１１を覆う必要がないので、カバー部材４の小型化を図ることができる。すなわち、リアフレーム２６の後部筐体を構成する領域２６１以外の領域のみを覆うカバー部材４を設けることができるので、カバー部材４を小型化することができる。したがって、この液晶テレビジョン装置１００では、カバー部材４の小型化を図りながら、液晶セル部２１の駆動用の駆動回路基板２１１から放出される不要輻射（ＥＭＩ）が外部に漏れるのを抑制することができる。
【００３４】
また、本実施形態では、上記のように、駆動回路基板２１１に接続されるケーブル２１１ｂをリアフレーム２６の前方側から後方側に通すための貫通孔２６３ａをリアフレーム２６に設け、貫通孔２６３ａを、後方から見て、駆動回路基板２１１に重ならない位置で、かつ、カバー部材４により後方から覆われる領域に設ける。これにより、駆動回路基板２１１に接続されるケーブル２１１ｂを通すための貫通孔２６３ａをリアフレーム２６に設けたとしても、駆動回路基板２１１から放出される不要輻射が貫通孔２６３ａを介して外部に漏れるのを抑制することができるので、リアフレーム２６のシールド機能が低下するのを抑制することができる。また、カバー部材４により貫通孔２６３ａを覆い隠すことができる。
【００３５】
また、本実施形態では、上記のように、リアフレーム２６の後面２６ｂのうち後部筐体を構成する領域２６１以外の領域に取り付けられてカバー部材４により後方から覆われる回路基板２８を設け、ケーブル２１１ｂにより、リアフレーム２６の前方側に配置される駆動回路基板２１１とリアフレーム２６の後面２６ｂに取り付けられる回路基板２８とを貫通孔２６３ａを介して互いに接続する。これにより、ケーブル２１１ｂにより、リアフレーム２６の前方側に配置される駆動回路基板２１１とリアフレーム２６の後面２６ｂに取り付けられる回路基板２８とを貫通孔２６３ａを介して容易に接続することができるとともに、カバー部材４により、リアフレーム２６の後面２６ｂに取り付けられる回路基板２８および貫通孔２６３ａの両方を覆い隠すことができる。
【００３６】
また、本実施形態では、上記のように、リアフレーム２６の外周部２６ｄを前方に向かって延びるように形成し、外周部２６ｄにより駆動回路基板２１１の側方を覆うとともに、外周部周辺により駆動回路基板２１１の後方を覆うようにリアフレーム２６を構成する。このように構成すれば、後部筐体を構成する領域２６１により、容易に、駆動回路基板２１１の側方および後方の両方を覆って不要輻射が外部に漏れるのを効果的に抑制することができるので、シールド機能を向上させることができる。
【００３７】
また、本実施形態では、上記のように、板金製のリアフレーム２６の後部筐体を構成する外周部周辺の領域に、後方に向かって窪む凹形状に形成された絞り部２６２を設け、凹形状に形成された絞り部２６２により駆動回路基板２１１を後方から覆う。これにより、絞り部２６２によりリアフレーム２６の外周部周辺の機械的強度が高められるので、リアフレーム２６の後部筐体を構成する領域２６１において、後部筐体として必要な強度を確保しながら不要輻射が外部に漏れるのを抑制することができる。また、後方に向かって窪む凹形状の絞り部２６２を設けることによって、駆動回路基板２１１が後方に突出して配置されている場合にも、その突出して配置された駆動回路基板２１１を凹形状の絞り部２６２により容易に覆うことができる。
【００３８】
また、本実施形態では、上記のように、駆動回路基板２１１を、略矩形形状の液晶セル部２１の一辺に沿って延びるように配置し、リアフレーム２６の絞り部２６２の上側（Ｚ１方向側）の部分２６２ａを、駆動回路基板２１１が延びる方向に延びるように形成する。これにより、液晶セル部２１の一辺に沿って延びる駆動回路基板２１１が後方に突出して配置される場合にも、その駆動回路基板２１１を絞り部２６２により後方から確実に覆うことができるので、駆動回路基板２１１から放出される不要輻射（ＥＭＩ）が外部に漏れるのをより抑制することができる。
【００３９】
また、本実施形態では、上記のように、絞り部２６２の上側（Ｚ１方向側）の部分２６２ａの底部に、絞り部２６２の上側（Ｚ１方向側）の部分２６２ａが延びる方向に延びる底部絞り部２６２ｃを形成する。これにより、絞り部２６２の底部の面積が大きくなって底部が変形し易くなる場合でも、底部絞り部２６２ｃにより底部の機械的強度が高められるので、後部筐体を構成する外周部周辺の絞り部２６２の底部が変形するのを抑制して後部筐体として必要な強度を確保することができる。
【００４０】
また、本実施形態では、上記のように、リアフレーム２６を、ホールドプレート２５の後面に取り付けられた駆動回路基板２１１の側方および後方を後部筐体を構成する領域２６１で覆うように構成する。これにより、ホールドプレート２５により駆動回路基板２１１を安定して支持することができるとともに、リアフレーム２６により、安定して支持される駆動回路基板２１１を覆って駆動回路基板２１１から放出される不要輻射（ＥＭＩ）が外部に漏れるのを抑制することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、本発明の「表示装置」を、液晶テレビジョン装置に適用する例について示したが、本発明はこれに限られない。たとえば、パーソナルコンピュータのモニタなど、液晶テレビジョン装置以外の表示装置にも本発明を適用可能である。
【００４３】
また、上記実施形態では、本発明の第１回路基板としての駆動回路基板を、液晶セル部（表示セル部）の上側の一辺に沿って延びるように配置する例を示したが、本発明はこれに限られない。本発明では、第１回路基板を表示セル部の上側以外の一辺に沿って延びるように配置してもよいし、第１回路基板を所定方向に延びる形状に形成することなく表示セル部の後面に配置してもよい。
【００４４】
また、上記実施形態では、本発明の表示セル部を液晶セル部に適用する例を示したが、本発明はこれに限られない。本発明の表示セル部は、液晶セル部以外の表示セル部にも広く適用可能である。
【符号の説明】
【００４５】
４  カバー部材（後部筐体）
２１  液晶セル部（表示セル部）
２４  光学部材
２５  ホールドプレート（支持部材）
２６  リアフレーム（後部筐体）
２６ｄ  外周部
２８  回路基板（第２回路基板）
２８ａ  受信部
１００  液晶テレビジョン装置（表示装置、テレビジョン装置）
２１１  駆動回路基板（第１回路基板、回路基板）
２１１ｂ  ケーブル（配線）
２６２  絞り部（第１絞り部）
２６２ｃ  底部絞り部（第２絞り部）
２６３ａ  貫通孔
【図１】
2013093751.tif 000003
【図２】
2013093751.tif 000004
【図３】
2013093751.tif 000005
【図４】
2013093751.tif 000006
【図５】
2013093751.tif 000007
【図６】
2013093751.tif 000008
【図７】
2013093751.tif 000009
【図８】
2013093751.tif 000010
【図９】
2013093751.tif 000011
【図１０】
2013093751.tif 000012